(57)【要約】【課題】カードを収容空間に安定に挿入させるカード用コネクタを提供する。【解決手段】本考案のカード用コネクタは、少なくとも一種のカードを収容でき、コネクタ本体と、前記コネクタ本体に装着された導電端子と、前記コネクタ本体の一側に取付けられるベース部材とを含む。前記ベース部材には、スライド部材をカードの挿入・排出方向に沿って移動可能に収容し、前記スライド部材がカードの一側に当接することにより、カードの挿入・排出する時にカードの偏りが防止できる。カードの一側に当接するスライド部材により、カードを挿入・排出する時にカードの偏りが防止でき、カードを収容空間に安定に挿入させる。【選択図】図２
0003130687.tif 000002
【実用新案登録請求の範囲】
【請求項１】
コネクタ本体と、
前記コネクタ本体に装着された導電端子と、
前記コネクタ本体の一側に取付けられるベース部材と
を含む少なくとも一種のカードを収容するためのカード用コネクタにおいて、
前記ベース部材には、スライド部材をカードの挿入・排出方向に沿って移動可能に収容し、前記スライド部材がカードの一側に当接することにより、カードを挿入・排出する時にカードの偏りが防止できることを特徴とするカード用コネクタ。
【請求項２】
前記ベース部材には溝部が形成され、前記スライド部材が前記溝部に移動可能に収容されることを特徴とする請求項１記載のカード用コネクタ。
【請求項３】
前記ベース部材の溝部の一内側には係止溝が形成され、前記スライド部材には係止溝に移動可能に収容される凸部が形成されることを特徴とする請求項２に記載のカード用コネクタ。
【請求項４】
前記ベース部材は直交壁を有し、前記溝部が該直交壁に形成され、且つ、該直交壁にはカードの挿入・排出をガイドするための案内溝が形成されることを特徴とする請求項２に記載のカード用コネクタ。
【請求項５】
前記カード用コネクタは、前記ベース部材の溝部に収容される弾性部材を有し、前記弾性部材の一端が溝部に収容し、他端が前記スライド部材に形成される収容孔に収容されることを特徴とする請求項２に記載のカード用コネクタ。
【請求項６】
前記スライド部材には、カードの一側に当接する押圧凸部を有することを特徴とする請求項１に記載のカード用コネクタ。
【請求項７】
コネクタ本体と、
前記コネクタ本体に装着される導電端子と、
コネクタ本体の一側に取付けられるベース部材と
を含む矩形形状またはＬ字形状を呈するカードを収容できるカード用コネクタにおいて、
前記ベース部材にスライド部材をカードの挿入・排出方向に沿って移動可能に収容し、
矩形形状を呈するカードを挿入する時に、スライド部材が矩形形状を呈するカードの一側に当接することにより、矩形形状を呈するカードを挿入・排出する時に該矩形形状を呈するカードの偏りが防止でき、
Ｌ字形状を呈するカードを挿入する時に、前記スライド部材がＬ字形状を呈するカードの先端に当接するとともに、カードの移動に従って移動できることを特徴とするカード用コネクタ。
【請求項８】
前記ベース部材には、前記スライド部材を収容するための溝部が形成され、該溝部に前記スライド部材の先端に位置する弾性部材を収容し、Ｌ字形状を呈するカードを挿入する時に、前記スライド部材がカードの先端に押圧されることにより移動して前記弾性部材を圧縮し、Ｌ字形状を呈するカードを排出する時に、前記弾性部材の弾性変形作用力によりスライド部材をカードを挿入しない初期状態に回復していることを特徴とする請求項７に記載のカード用コネクタ。
【考案の詳細な説明】
【技術分野】
【０００１】
本考案はカード用コネクタに関し、特に形状が異なる二種のカードを収容できるカード用コネクタに関するものである。  
【背景技術】
【０００２】
現在、パンコンの拡張可能性の要求を満足するために、近年のパンコソは、その内部の情報処理回路のバスに対して各種の機能拡張カードを着脱できる。このような機能拡張カードとして現在実用されているものとしては、例えば、情報処理回路の外部記憶媒体として用いられるＩＣカードやハードディスクカード、情報処理回路と通信網間の通信を仲介するＬＡＮ（ローカルエリアネットワーク）カードや、モデムカード、ＳＣＳＩインタフェースを内蔵したＳＣＳＩカード、デジタルカメラを内蔵したカメラカード等が列挙される。これらの機能拡張カードは、「ＰＣカード 」と総称される。現在、ＰＣカードの規格に関しては、ＰＣＭＣＩＡ（Ｐｅｒｓｏｎａｌ Ｃｏｍｐｕｔｅｒ Ｍｅｍｏｒｙ Ｃａｒｄ Ｉｎｔｅｒｎａｔｉｏｎａｌ Ａｓｓｏｃｉａｔｉｏｎ）の定める標準により、規格統一がなされている。また、ＰＣＭＣＩＡは、２００３年末に新しい規格に符合するＰＣカードとしてのエクスプレス（Ｅｘｐｒｅｓｓ）カードの規格が定められ、この規格のエクスプレスカードは、形状がＬ字形状或は矩形形状を呈する両種のタイプを備える。そのうち、矩形形状を呈するカードの幅は、Ｌ字形状を呈するカードの最小の幅と同じである。
【０００３】
前記エクスプレスカードを接続するのに用いられるコネクタは、コネクタ本体と、導電端子と、カードを収容するフレームと、を備え、前記フレームの構造がＬ字形状と矩形形状との二種の形状を有する。その中で、矩形形状を呈するフレームを備えるコネクタは、矩形形状を呈するカードだけを収容でき、Ｌ字形状を呈するフレームのコネクタは、Ｌ字形状を呈するカードだけでなく、矩形状を呈するカードをも収容できる。そこで、Ｌ字形状を呈するフレームを備えるコネクタは、優れた適合性のために、広く使用される（例えば、特許文献１参照）。
【特許文献１】台湾実用新案公告第２７９０４１号明細書
【０００４】
前記特許文献１に掲示された従来技術のエクスプレスカードを接続するのに用いられるコネクタは、Ｌ字形状を呈するカードだけでなく、矩形状を呈するカードをも収容でき、コネクタ本体と、コネクタ本体に組み付けられるＬ字形状を呈するフレームと、カードの挿入をガイドするためのガイド部材とを含む。ガイド部材は、垂直壁と、該垂直壁に形成されるガイド溝とを有し、カードをコネクタに挿入する際に、カードの一方側壁がガイド溝によりガイドすると、カードをスムーズにコネクタに挿入させる。
【考案の開示】
【考案が解決しようとする課題】
【０００５】
しかしながら、前記特許文献１に開示されたコネクタは、前記ガイド部材のガイド溝が短いので、矩形形状を呈するカードがコネクタに挿入する際に、カードの挿入をガイドする効果が小さくなっている。また、収容空間がＬ字形状を呈するので、矩形形状を呈するカードを該収容空間に挿入した際に、収容空間の一側が残りの空間を有することで、該収容空間に挿入した矩形形状を呈するカードが前記残りの空間に向かって偏る恐れがあった。そこで、従来の技術の不具合を改善したカード用コネクタを開発する必要がある。
【０００６】
本考案は、カードを収容空間に安定に挿入させるカード用コネクタを提供することを目的とする。
【課題を解決するための手段】
【０００７】
本考案のカード用コネクタは、少なくとも一種のカードを収容でき、コネクタ本体と、前記コネクタ本体に装着された導電端子と、前記コネクタ本体の一側に取付けられるベース部材とを含む。前記ベース部材には、スライド部材をカードの挿入・排出方向に沿って移動可能に収容し、前記スライド部材がカードの一側に当接することにより、カードを挿入・排出する時にカードの偏りが防止できる。
【考案の効果】
【０００８】
従来技術に比べ、本考案は以下の利点を有する。本考案のカード用コネクタはカードの一側に当接するスライド部材により、カードを挿入・排出する時にカードの偏りが防止でき、カードを収容空間に安定に挿入させる。
【考案を実施するための最良の形態】
【０００９】
以下、図1 〜図７を参照して、本考案のカード用コネクタの好ましい実施形態について説明する。該カード用コネクタ１は、Ｌ字形状または矩形形状を呈するカードを収容でき、コネクタ本体２と、コネクタ本体２に装着される導電端子３と、コネクタ本体２に組み付けられるフレーム４と、フレーム４の両側に位置する支持部材５と、コネクタ本体２の一側に形成されるベース部材６と、ベース部材６に位置するスライド部材７と弾性部材８と、を含む。
【００１０】
図３と図４を参照すると、該コネクタ本体２は、矩形状を呈する基部２０と、該基部２０の長手方向の端部から後向きに延在する一対の延出アーム２１と、前記基部２０から一対の延出アーム２１の間に延在して形成される対接部２２と、前記基部２０の先端に形成される凸部２０１と、を含む。前記対接部２２には基部２０を幅方向に横断し、導電端子３を収容するための端子通路２００が形成され、また、前記一対の延出アーム２１の内側にカードの挿入をガイドするためのガイド溝２１０がそれぞれ形成され、一方の延出アームの外側には、固持片２３を保持するための保持溝２１１が形成される。
【００１１】
前記導電端子３は、コネクタ本体２の端子通路２００に対応し装着され、カードに接続するためのコンタクト部３０と、プリント基板（図示せず）に接続するためのテール部３１と、コンタクト部３０とテール部３１とを連接し、コネクタ本体２に保持された固持部３２とを含む。
【００１２】
図３を参照すると、前記フレーム４は、金属板により構成されており、フレーム４とコネクタ本体２によって、カードを収容するための収容空間（参照記号なし）が形成される。該フレーム４は、Ｌ字形状を呈する主体部４０と、主体部４０の両側から折曲って延出するように左右側壁４１と、主体部４０の先端から折曲って延出するように形成される先端壁４２と、主体部４０から折曲って延出するように横に設置形成される横壁４６と、主体部４０の先端の一側から折曲って延出するように形成される垂直壁４５と、を含む。主体部４０の両側縁には、複数のバネ片４３が収容空間に向かって形成され、主体部４０の収容空間の挿入口に隣接する箇所には、三つの弾性片４４が横に並設され、その中間の弾性片４４が矩形形状を呈するカードの側縁に押圧でき、他の二つの弾性片４４が前記バネ片４３と同一直線に位置する。
【００１３】
図３に示す前記フレーム４の左右側壁４１は、左側壁が右側壁より短くなり、左右側壁４１は前記支持部材５に係合するための係合部（参照記号なし）がそれぞれ形成され、左右側壁には底壁（参照記号なし）が前記収容空間に向かって折曲って延出するようにそれぞれ形成され、底壁に前記主体部４０のバネ片４３に対応するバネ片４３も形成され、底壁と主体部４０とのバネ片４３がカードの底縁の凹部に押圧することにより、カードの挿入をガイドできる。前記先端壁４２にコネクタ本体２の凸部２０１に係合するための係合口４２０が形成される。垂直壁４５と横壁４６が底壁を収容空間に向かって折曲がって延出するよう形成され、且つ、垂直壁４５の底壁に取付口４５０が形成される。
【００１４】
前記支持部材５はフレーム４の左右側壁４１に取付けられ、フレーム４に取付ける保持部５０と、保持部５０から垂直に延出するように形成される取付部５１とを、含み、前記取付部５１にカード用コネクタ１を回路基板に実装するためのねじ孔５１０が形成される。
【００１５】
前記ベース部材６は、コネクタ本体２の一側に位置し、前記フレーム４の垂直壁４５と横壁４６によりフレーム４に取付けられ、略三角形状を成す案内体６０と、案内体６０から垂直に延出するようにそれぞれ形成され、前記フレーム４の垂直壁４５と横壁４６にそれぞれ係合するための直交壁６１及び横部６２とを含む。前記直交壁６１にスライド７を装着するための溝部６１０が形成され、該直交壁６１の収容空間側の側壁に前記コネクタ本体２のガイド溝２１０に連通する案内溝６１２が形成され、直交壁６１の底部には前記垂直壁４５の取付口４５０に係合するための係止凸部６１３が形成され、また、前記溝部６１０の一内側壁に係止溝６１１が形成される。
【００１６】
前記スライド部材７は、ベース部材６の溝部６１０内にカードの挿入・排出方向に沿って移動可能に収容され、本体部７０と、本体部７０の両側から延出するように形成される押圧凸部７１及び凸部７２とを有し、前記本体部７０の先端に収容孔７００が形成される。前記弾性部材８は、一端がスライド部材７の収容孔７００内に収容され、他端がベース部材６の溝部６１０に位置する。カードが挿入されない時に弾性部材８が緩む状態に位置するとともに、スライド部材７が初期状態に位置して、スライド部材７がカードの挿入・排出方向で前記コネクタ本体２から突出している。
【００１７】
図５を参照すると、矩形形状を呈するカードを収容空間に挿入する際に、前記スライド部材７の押圧凸部７１が矩形形状を呈するカードの一側に当接することにより、矩形形状を呈するカードの偏りが防止できる。凸部７２がベース部材６の係止溝６１１に沿ってスライドすることにより、スライド部材７がベース部材６の溝部６１０から外れることを防止できる。図６と図７を参照すると、Ｌ字形状を呈するカードを挿入する時に、Ｌ字形状を呈するカードの先端がスライド部材７を押圧すると、スライド部材７を挿入方向に沿って移動させるとともに弾性部材８が圧縮され、Ｌ字形状を呈するカードが収容空間へ挿入した際に、前記スライド部材７がベース部材６の溝部６１０に完全に収容される。Ｌ字形状を呈するカードを排出する時に、前記弾性部材８の弾性力によりスライド部材７を初期状態に回復する。
【００１８】
本考案のカード用コネクタ１は、スライド部材７によりカードの位置決めを確実にし、特に矩形形状を呈するカードが収容空間へ挿入される時に、スライド部材７とベース部材６の案内溝６１２と、コネクタ本体２のガイド溝２１０とによりカードの位置決めが確実にされるとともに矩形形状を呈するカードの偏りを防止できる。
【００１９】
以上本考案について最良の実施の形態を参照して詳細に説明したが、実施形態はあくまでも例示的なものであり、これらに限定されるものではなく、例えば、前記コネクタ本体とベース部材とが分離し構成し、もちろん、コネクタ本体とベース部材が一体に成形でき得る。また上述の説明は、本考案に基づきなしうる細部の修正或は変更など、いずれも本考案の請求範囲に属するものとする。
【図面の簡単な説明】
【００２０】
【図１】本考案に係るカード用コネクタの組立斜視図である。
【図２】図１に示すカード用コネクタの部分の分解斜視図である。
【図３】本考案に係るカード用コネクタの分解斜視図である。
【図４】図３に示すカード用コネクタの他の角度から見た分解斜視図である。
【図５】本考案に係るカード用コネクタに矩形形状を呈するカードを収容する状態図である。
【図６】本考案に係るカード用コネクタにＬ字形状を呈するカードを完全に挿入しない状態図である。
【図７】図７に示すカード用コネクタにＬ字形状を呈するカードを完全に挿入した状態図である。
【符号の説明】
【００２１】
１  カード用コネクタ
２  コネクタ本体
３  導電端子
４  フレーム
５  支持部材
６  ベース部材
７  スライド部材
８  弾性部材
２０  基部
２１  延出アーム
２２  対接部
２３  固持片
３０  コンタクト部
３１  テール部
３２  固持部
４０  主体部
４１  側壁
４２  先端壁
４３  バネ片
４４  弾性片
４５  垂直壁
４６  横壁
５０  保持部
５１  取付部
６０  案内体
６１  直交壁
６２  横部
７１  押圧凸部
７２  凸部
２００  端子通路
２０１  凸部
２１０  ガイド溝
２１１  保持溝
４２０  係合口
４５０  取付口
５１０  ねじ孔
６１０  溝部
６１１  係止溝
６１２  案内溝
６１３  係止凸部
７００  収容孔
【図１】
0003130687.tif 000003
【図２】
0003130687.tif 000004
【図３】
0003130687.tif 000005
【図４】
0003130687.tif 000006
【図５】
0003130687.tif 000007
【図６】
0003130687.tif 000008
【図７】
0003130687.tif 000009